(57)【要約】   【課題】  比較的簡単な構成からなる収納体で、飲料ボトルや折りたたみ傘等の濡れ物を収納しても他の収納物を濡らすことがなく、これらが収納体内で不必要に移動することなく、収納体の一部が不格好にふくらむことのない収納体を提供すること。【解決手段】  上面及び側面が開閉自在な収納体１における側面部材１２内方に、収納体内部側方にて正面部材１０と背面部材１１を接続する仕切部材１８を側面部材１２内面と間隔を置いて形成し、仕切部材１８と側面部材１２内面との間に形成した空間部を収納部３とした。【選択図】  図１
0003127393.tif 000002
【実用新案登録請求の範囲】
【請求項１】
上面及び側面が開閉自在な収納体における側面部材内方に、収納体内部側方にて正面部材と背面部材を接続する仕切部材を側面部材内面と間隔を置いて形成し、前記仕切部材と前記側面部材内面との間に形成した空間部を収納部としたことを特徴とする収納体。
【請求項２】
仕切部材は中マチ部材を兼ねることを特徴とする請求項１記載の収納体。
【請求項３】
仕切部材を有底状に形成し収納部を袋体としたことを特徴とする請求項１または２記載の収納体。
【請求項４】
仕切部材はシート部材で形成し、シート部材からなる前記仕切部材の両側辺を収納体の正面部材および背面部材に接続し、仕切部材下辺を前記収納体の側面部材に撓みを持たせて有底状に接続して収納部を袋体としたことを特徴とする請求項１乃至３記載の収納体。
【請求項５】
仕切部材は防水性のシート部材で形成したこと特徴とする請求項１乃至４記載の収納体。
【請求項６】
収納体の収納部に対向する部分に通気孔を形成し、収納部と前記収納体の外方とを通気可能としたことを特徴とする請求項１乃至５記載の収納体。
【請求項７】
収納体の上面および側面をスライドファスナー等の開閉部材で開閉自在としたことを特徴とする請求項１乃至６記載の収納体。
【考案の詳細な説明】
【技術分野】
【０００１】
本考案はカバン等の収納体に関するもので、特に濡れ物を収納したときに他の収納物を濡らすことなく、また収納物が収納体内で不必要に移動することのない収納体の構造に関する。
【背景技術】
【０００２】
従来、収納部を複数設けた収納体に関しては、特許文献１に示されているように、カバン内部での小物の移動を防ぐという目的から収納体の正面部材内側に着脱可能な小物用ポケットを設けたものや、特許文献２に示されているように、携帯電話を取り出し易いようにカバンの外側に別個にポケットを設けたものが考えられている。
【特許文献１】特開平８−１９６３２１号公報
【特許文献２】特開平９−３０８５１４号公報
【考案の開示】
【考案が解決しようとする課題】
【０００３】
現在、多くの人は手提げカバン等の収納体に書類の他、飲料ボトルや折りたたみ傘等、多様な形状の物品を収納している。ところがこれら飲料ボトルや折りたたみ傘等の濡れ物を書類等の他の収納物と同じ一つの収納部に収納しているために、飲料ボトルの結露や折りたたみ傘の水滴が同じ収納部に収納した他の収納物を濡らしてしまう、広い収納部内で飲料ボトル等が不必要に移動する等の問題があった。
【０００４】
上記特許文献に示された収納体をはじめとする複数の収納部を有する収納体は考案されているものの、従来品はいずれも小物が移動しない程度の別付けのポケットを設けているにすぎず、飲料ボトルや折りたたみ傘等の濡れ物を収納した場合に同じ収納部に収納した書類等の他の収納物を濡らしてしまう、これらが収納部内で移動する、筒状の飲料ボトル等の厚みで収納体が不格好にふくらんでファッション性が損なわれる、また、ポケットや仕切りを別個に作成し収納体本体に装着するために製作の手間がかかる、部品数が多く収納体本体の重量が重くなる等の種々の問題が解決されるものではなかった。
【０００５】
このような現状から本考案は比較的簡単な構成からなる収納体で、飲料ボトルや折りたたみ傘等の濡れ物を収納しても他の収納物を濡らすことがなく、またこれらが収納体内で不必要に移動することなく、収納体の一部が不格好にふくらむことのない収納体を提供することを目的とするものである。
【課題を解決するための手段】
【０００６】
上記目的を達成するため本考案の収納体は、上面及び側面が開閉自在な収納体における側面部材内方に、収納体内部側方にて正面部材と背面部材を接続する仕切部材を側面部材内面と間隔を置いて形成し、前記仕切部材と前記側面部材内面との間に形成した空間部を収納部とした。
【０００７】
仕切部材は中マチ部材を兼ねるものとした。
【０００８】
仕切部材を有底状に形成し収納部を袋体とした。
【０００９】
仕切部材はシート部材で形成し、シート部材からなる前記仕切部材の両側辺を収納体の正面部材および背面部材に接続し、仕切部材下辺を前記収納体の側面部材に撓みを持たせて有底状に接続して収納部を袋体とした。
【００１０】
仕切部材は防水性のシート部材で形成した。
【００１１】
収納体の収納部に対向する部分に通気孔を形成し、収納部と前記収納体の外方とを通気可能とした。
【００１２】
収納体の上面および側面をスライドファスナー等の開閉部材で開閉自在とした。
【考案の効果】
【００１３】
このように、収納体の側面部材内方に書類等を収納するための主たる収納部とは別個に収納部を設けて飲料ボトルや折りたたみ傘等を収納可能としたので、飲料ボトルや折りたたみ傘等の濡れ物を収納しても書類等他の収納物を濡らすことがない。特に、仕切部材を防水性のシート部材で形成すれば飲料ボトルや折りたたみ傘等の濡れ物を収納しても全く書類等他の収納物を濡らすことがない。
【００１４】
また、収納部に飲料ボトル等を収納すれば、これらが収納体内において不必要に移動することなく、収納体の一部が不格好にふくらむことない。
【００１５】
また、仕切部材が中マチを兼ねるので、ポケット等別個の部品を設ける必要がなく、収納体の製作が簡単で軽量化が可能であり、ファッション性にも優れた収納体を提供することができる。
【００１６】
また、収納体の収納部と対向する部分に通気孔を形成すれば、飲料ボトル等の結露を収納体外方へと蒸発させることができ、収納体内に湿気が籠もることを防ぐことができる。
【考案を実施するための最良の形態】
【００１７】
図１は、本考案の収納体を示す斜視図である。１は手提げカバン状の収納体であり、２は書類等の収納部としての大型の収納部、３は後述する仕切部材１８により収納体１の側方寄りに形成された収納部である。
【００１８】
収納体１は、正面部材１０、背面部材１１、右側面部材１２、左側面部材１３および底面部材１４の各辺が、縫合、貼着、熱着等の手法により接着されて収納部２が形成され、正面部材１０および背面部材１１にはそれぞれ持ち手１５，１６が設けられ、開口部はスライドファスナー１７で開閉可能になっている。
【００１９】
正面部材１０と背面部材１１は、一方の側面すなわち本実施の形態においては右側面部材１２内方で仕切部材１８により接続され、かつ、仕切部材１８は右側面部材１２と間隔を置いて形成されていて仕切部材１８と右側面部材１２内面にとの間に形成した空間部を収納部３としている。
【００２０】
また、仕切部材１８は、収納体１の開口角度を制限するためのストッパーとして機能するとともに開口した際に大型の収納部２から収納物が落下することを防ぐ中マチを兼ねている。
【００２１】
本実施の形態において、仕切部材１８は、その側辺２１，２２が正面部材１０および背面部材１１に接続されるとともに、仕切部材１８と右側面部材１２の間に底部３１を形成するように下辺２０が右側面部材１２に接続され、仕切部材１８と右側面部材１２との間に袋体状の収納部３を形成している。
【００２２】
仕切部材１８は折り曲げ可能なシート部材で形成され、好ましくは四角形状、さらに好ましくは上辺１９に比して下辺２０の長さが短い台形状のシート部材からなり、上辺１９は収納体１が最適な開口角度を形成する程度の長さとし、両側辺２１，２２はそれぞれ右側面部材１２と正面部材１０の接続辺２４の内側と右側面部材１２と背面部材１１の接続辺２５の内側に沿って縫合、貼着、熱着等種々の手法により接着され、さらに仕切部材１８の下方は飲料ボトルや折りたたみ傘の底面ほどの面積の底部３１が得られるほどの余裕を持って撓ませた状態で、下辺２０が底面部材１４とカバン右側面部材１２の接続辺２３の内側に沿うように接着されている。
【００２３】
したがって、収納体１を開口した際に仕切部材１８は、その上辺１９がピンと張った状態となって開口角度を制限するためのストッパーとして働き中マチとして機能するとともに、収納部２とは隔離された収納部３を提供する。尚、仕切部材１８を形成するシート部材の形状は上述の四角形状に限られるものではない。また、必要に応じて図１に示すように仕切部材１８の下方をつまんで収納部３の底部３１を補強してもよい。
【００２４】
さらに、この仕切部材１８は、プラスチック樹脂素材やＰＴＦＥ加工を施した布素材等の防水性の材料で形成することが望ましい。さらに、右側面部材１２、正面部材１０、背面部材１１の収納部３と対向する部分には付図示の通気孔を形成し、収納物の結露等を蒸発させるようにしてもよい。
【００２５】
一方、正面部材１０と背面部材１１の他方の側面すなわち左側面部材１３側には、収納体１の開口角度を制限するためのストッパーとして機能するとともに開口した際に大型の収納部２から収納物が落下することを防ぐ従来の扇型の中マチ部材２６が縫合、貼着、熱着等の方法により接着され、収納体１の開口時には扇型に開いてストッパー機能を果たし、閉口時にはその中間部が収納部２内へと折れ曲がり収納されるようになっている。尚、図１において、収納部３は右側面部材１２側に設けられているが、収納体１の両側に設けてもよいし、左側面部材１３側に設けてもよい。さらに、図１に示す収納体１は手提げカバン状であるが、アタッシェケース、スーツケース、ハンドバック等他の種類の収納体であってもよい。
【００２６】
図２乃至図４は図１に示す収納体１に物品を収納した状態を示す斜視図及び側面図である。図２に示すように、収納部２には従来通り書類４等大型の収納物を収納することができる。また、図３に示すように、収納部３には筒状の飲料ボトル５または不図示の折りたたみ傘等を直立した状態ですっぽりと収納することが可能である。さらに、書類４を収納部２に、飲料ボトル５を収納部３に同時に収納可能である。このとき収納部３は収納部２と仕切部材１８により隔離され、仕切部材１８は防水性の素材で形成されているために飲料ボトル５の結露が書類４を濡らすことがない。
【００２７】
また、飲料ボトル５は収納部３にすっぽりと直立した状態で収納されるので、若し収納体１が傾いても、収納部３内に収納された飲料ボトル５は収納体１内で不必要に動くことはなく、筒状の飲料ボトル５が収納体１を不格好にふくらませファッション性を損なうこともない。また、スライドファスナー１７で収納体１を閉口したときにも、飲料ボトル５が収納体１内にきちんと収まるのである。
【００２８】
尚、飲料ボトル５等を収納しない際には、折り曲げ可能な仕切部材１８を側面部材１２側に寄せることにより収納部３をたたんで、収納部２の面積を拡張することもできる。
【図面の簡単な説明】
【００２９】
【図１】本願考案の実施の形態を示す収納体の斜視図。
【図２】図１に示す収納体に書類を入れた状態の斜視図。
【図３】図１に示す収納体に飲料ボトルを入れた状態の斜視図。
【図４】図１に示す収納体に飲料用ボトルを入れた状態の側面図。
【符号の説明】
【００３０】
１    収納体
２    収納部
３    収納部
１０  正面部材
１１  背面部材
１２  右側面部材
１３  左側面部材
１４  底面部材
１５，１６  持ち手
１７  スライドファスナー
１８  仕切部材
１９  仕切部材上辺
２０  仕切部材下辺
２１，２２  仕切部材側辺
２３，２４，２５  収納体接続辺
２６  中マチ部材
３１  収納部底部
【図１】
0003127393.tif 000003
【図２】
0003127393.tif 000004
【図３】
0003127393.tif 000005
【図４】
0003127393.tif 000006